Podtech/llm-jp-corpus-v4-ja_patent huggingface dataset:
(57)【要約】      （修正有）【課題】海底を耕運し採具漁具として利用可能な小型軽量で、より海底耕運能力を高めた海底耕運装置を提供する。【解決手段】牽引時に噴射口からの噴流が海底面下になるように、ガタスキー７より下まで噴射ノズル４を長くし、噴射ノズル４の先端近くに設けた噴射口より噴射した空気又は水流が海底の地盤を掘り起こすようにすることで海底の耕運能力を高めたことを特徴とする海底面下に噴射ノズル４を突き出した海底耕運装置。【選択図】図１
0003177667.tif 000002
【実用新案登録請求の範囲】
【請求項１】
水流又は空気の噴射ノズルの位置を海底下まで挿入した噴射ノズル。  
【考案の詳細な説明】
【技術分野】
【０００１】
機械・加工
【背景技術】
【０００２】
これまでの海底耕運装置は大型のものが多く、漁業組合単位での利用は困難であった。また、アサリ漁場を干潮時に耕運機で耕したり、マガと呼ばれる鍬状のものや、レーキ状の物を船で牽引する等試験的なものがある。その他愛知県で漁具として使用されている装置を海底耕運装置として使用しているケースもあある。この装置は本来漁具として開発されたもので海底耕運装置としては欠点もある。近年漁業従事者の減少を考えたとき、漁業者自らが自分たちの漁場は漁業従事者が守り、若い後継者を育てる必要がある。そのためには、小型で取扱いが容易な海底耕運装置の出現が望まれている。
【先行技術文献】
【特許文献】
【０００３】
【特許文献１】実用新案登録第3138739号「水流噴射式貝桁網」
【非特許文献】
【０００４】
【非特許文献１】漁場耕運装置としては認識されていないが、愛知県沖で許可されている水流噴流式貝桁網があり、この漁具は海底の耕運能力もあるということで、漁場によってはその漁具を海底耕運装置として利用しているところもある。
【考案の概要】
【考案が解決しようとする課題】
【０００５】
採貝漁具の水流噴射式貝桁網は漁具として開発されたものであるが、海底を耕運する能力もあるため海底耕運装置として用いられることもあるが海底耕運装置としての能力は十分でない。漁場の改善の為に、小型軽量でより海底耕運能力の優れたものが求められている。
【課題を解決するための手段】
【０００６】
本考案のこれまで利用されてきた技術の欠点を改良し、これまで海底面上で噴射していた噴射ノズルを海底面下まで挿入し、海底の地盤を掘り起こすように噴射ノズルから噴射するように改良したものである。
【考案の効果】
【０００７】
噴射ノズルを海底面下に挿入し水流を噴出することで、これまで以上に地盤の改良ができることと、水流の噴射による振動と貝驚かせとともに急激な噴流を直接当てることを防ぐことが可能でより海底耕運の効果が期待できる。また、トラクターのように干潮時でなく水面下で海底耕運が可能なため、干潮時に露出しない海底地盤の改良も期待できる。
【図面の簡単な説明】
【０００８】
【図１】図1は本考案の側面図を示したものである。
【考案を実施するための形態】
【０００９】
本考案の実施をするためには、ロープで牽引される本体とポンプによる噴射ノズル及び牽引する船にとで構成される海底深耕装置が必要であり。本考案は左記海底深耕装置の噴射ノズルの改良である。
【実施例】
【００１０】
本考案の実施については、図1に示すように、牽引ロープを船で牽引しながら船上に配置したポンプから送水管を通じて装置に海水を送り噴射ノズルから噴出させる。噴射ノズルは海底の状況に応じて上下に設定が可能で、これまで以上に海底耕運の効果を高めることが出来る。
【産業上の利用可能性】
【００１１】
現在、小型の装置で海底を耕運できる装置は少なく、本考案を実施すれば老齢の漁業者でも容易に漁場の整備が可能である。
このことは、現在までの人の営みで汚れてきた海底を整備することが出来、漁業資源の再生につながる物であり、海底浄化即ち自然の再生にも貢献することが出来る。
【符号の説明】
【００１２】
1：牽引ロープ  2：送水ホース  3：漁海底耕運装置本体  4：水流噴射ノズル  5：取付位置変更金具  6：海底面  7：ガタスキー
【図１】
0003177667.tif 000003
【手続補正書】
【提出日】平成24年1月19日(2012.1.19)
【手続補正１】
【補正対象書類名】明細書
【補正対象項目名】００１２
【補正方法】変更
【補正の内容】
【００１２】  １：牽引ロープ  ２：送水ホース  ３：海底耕運装置本体  ４：噴射ノズル  ５：噴射ノズルに付いている噴射口  ６：噴射口からの噴流  ７：ガタスキー  ８：取付位置変更の為の穴  ９：海底面  １０：海面
【手続補正２】
【補正対象書類名】実用新案登録請求の範囲
【補正対象項目名】全文
【補正方法】変更
【補正の内容】
【実用新案登録請求の範囲】
【請求項１】
海底耕運装置において、牽引時に噴射口からの噴流が海底面下になるように、ガタスキーより下まで噴射ノズルを長くし、噴射ノズルの先端近くに設けた噴射口より噴射した空気又は水流が海底の地盤を掘り起こすようにすることで海底の耕運能力を高めたことを特徴とする海底耕運装置の噴射ノズル。
【手続補正３】
【補正対象書類名】図面
【補正対象項目名】全図
【補正方法】変更
【補正の内容】
【図１】
0003177667.tif 000004
【手続補正書】
【提出日】平成24年5月24日(2012.5.24)
【手続補正２】
【補正対象書類名】明細書
【補正対象項目名】００１２
【補正方法】変更
【補正の内容】
【００１２】  １：牽引ロープ  ２：送水ホース  ３：海底耕運装置本体  ４：噴射ノズル  ５：噴射ノズルに付いている噴射口  ６：噴射口からの噴流  ７：ガタスキー  ８：取付位置変更の為の穴  ９：海底面  １０：海面
【手続補正３】
【補正対象書類名】実用新案登録請求の範囲
【補正対象項目名】全文
【補正方法】変更
【補正の内容】
【実用新案登録請求の範囲】
【請求項１】
海底耕運装置において、牽引時に噴射口からの噴流が海底面下になるように、ガタスキーより下まで噴射ノズルを長くし、噴射ノズルの先端近くに設けた噴射口より噴射した空気又は水流が海底の地盤を掘り起こすようにすることで海底の耕運能力を高めたことを特徴とする海底面下に噴射ノズルを突き出した海底耕運装置。
【手続補正４】
【補正対象書類名】図面
【補正対象項目名】全図
【補正方法】変更
【補正の内容】
【図１】
0003177667.tif 000005
(57)【要約】      （修正有）【課題】車椅子を屋外で使用したとき、道路脇側溝の蓋の隙間や網蓋に落下しないキャスターを提供する。【解決手段】キャスターは天然ゴム、硬質樹脂又はジュラコンからなり、キャスター本体は補助輪の同時成形加工を施した物とし、補助輪形状はキャスター外径寸法より約１０％小さく、幅寸法は１：１の寸法に設定し、キャスター本体を専用の支持アームで固定し、支持アームで固定される。【選択図】図１
0003177670.tif 000002
【実用新案登録請求の範囲】
【請求項１】
キャスター本体に、キャスター外径寸法より約10%小さく幅寸法は1:1の補助輪を両側に支持アームによる固定、または、キャスター部の本体と補助輪の同時成形加工を施した物に（材料・・・天然ゴム、硬質樹脂、ジュラコン他）、キャスター幅に合わせた支持アームを固定し、車椅子本体に装着する事により、道路脇側溝の蓋の隙間や網蓋にキャスターが落下しない特徴を兼ね備えた車椅子安全キャスター。
【請求項２】
キャスター幅寸法が大きくなっても、補助輪はメインのキャスター外径よりも小さい為に、アスファルト、コンクリートなどの硬い走行路に対しては、通常品のキャスターと同様に接地面積は変わらず、転がり抵抗の変化が無いので走行性や直進性も問題なく走行できるキャスターである。
【考案の詳細な説明】
【技術分野】
【０００１】
本案件は、車椅子の前輪の左右に補助輪を設けたキャスターに関するものである。
【背景技術】
【０００２】
車椅子を屋外で使用した時、キャスターの幅が狭い為、溝に嵌まってしまい、車椅子利用者にとって大変危険である。
【先行技術文献】
【特許文献】
【０００３】
【特許文献１】特許公開2009-143395号公報
【非特許文献】
【０００４】
【非特許文献１】特に無し
【考案の概要】
【考案が解決しようとする課題】
【０００５】
屋外にて車椅子の使用時に、道路脇の側溝などに設置してある「網蓋」に車椅子の前輪（キャスター）の幅寸法が網蓋の寸法よりも小さい為、誤って蓋の隙間にキャスターが落ちてしまい、利用者にとって大変危険であり、背景技術の問題点を解決するものである。
【課題を解決するための手段】
【０００６】
本案件は、キャスター本体にキャスター外径よりも約10%小さく、幅は1:1の補助輪を両側に装着して、キャスター幅に合わせた支持アームを固定し、車椅子本体に改善後のキャスターを装着する。
【考案の効果】
【０００７】
本案件の車椅子安全キャスターは、道路脇に設置してある側溝蓋（網蓋）の隙間にキャスターが嵌っても、補助輪にて落下を防ぐ為に、車椅子利用者が落下時の弾みで、「前のめり」になり車椅子から落ちてしまう危険を回避できる。
また、キャスター幅寸法が大きくなっても、補助輪はメインのキャスター外径よりも小さい為に、アスファルト、コンクリートなどの硬い走行路に対しては、通常品のキャスターと同様に接地面積は変わらず、転がり抵抗の変化が無いので走行性あるいは直進性も問題がない。
【０００８】
本案件の車椅子安全キャスターは、キャスター本体の幅寸法が大きい為、土や砂利といった悪路でも、接地面積が大きいため、荷重が分散されキャスターの沈み込み量を抑え、転がり抵抗が通常品よりも軽減され、走行が容易になる。
【図面の簡単な説明】
【０００９】
【図１】キャスター形状をX方向から示した図である。
【図２】キャスター方向をY方向から示した図である。
【図３】キャスターX方向より寸法線を入れた図である。
【考案を実施するための形態】
【００１０】
安全キャスターを装着した車椅子で、道路脇などにある、側溝の蓋の隙間や網蓋に謝ってキャスターが嵌ってしまったとしても、補助輪が作用して落下せずに、力の無い介助者でも、車椅子のキャスターを浮かさずに、容易に脱出する事が可能になる。
【符号の説明】
【００１１】
1・・・補助キャスター
2・・・メインキャスター
3・・・キャスター固定ボルト
4・・・保持ブリッチ
5・・・本体取り付けアーム
【図１】
0003177670.tif 000003
【図２】
0003177670.tif 000004
【図３】
0003177670.tif 000005
【手続補正書】
【提出日】平成24年2月16日(2012.2.16)
【手続補正１】
【補正対象書類名】実用新案登録請求の範囲
【補正対象項目名】全文
【補正方法】変更
【補正の内容】
【実用新案登録請求の範囲】
【請求項１】
・キャスターは天然ゴム、硬質樹脂又はジュラコンからなり、キャスター本体は補助輪の同時成形加工を施した物とする。補助輪はキャスター外径寸法より約10%小さく、幅寸法は1:1の寸法に設定しキャスター本体を専用の支持アームで固定する。支持アームで固定されたキャスターを車椅子本体に装着する事により、道路脇側溝の蓋の隙間や網蓋にキャスターが落下しない特徴を兼ね備えた車椅子となる。
【手続補正書】
【提出日】平成24年5月2日(2012.5.2)
【手続補正１】
【補正対象書類名】実用新案登録請求の範囲
【補正対象項目名】全文
【補正方法】変更
【補正の内容】
【実用新案登録請求の範囲】
【請求項１】
キャスターは天然ゴム、硬質樹脂又はジュラコンからなり、キャスター本体は補助輪の同時成形加工を施した物とし、補助輪形状はキャスター外径寸法より約10%小さく、幅寸法は1:1の寸法に設定し、キャスター本体を専用の支持アームで固定し、支持アームで固定されたキャスターを車椅子本体に装着するキャスターであって、道路脇側溝の蓋の隙間や網蓋にキャスターが落下しないようにした事と、キャスター幅が広い為、砂利や砂地といった悪路上でも荷重を分散する作用が働き、キャスター自体が埋まらない特徴とする車椅子安全キャスター。
(57)【要約】      （修正有）【課題】夜間でも見つけやすい義歯保管ケースを提供する。【解決手段】強度のあるねじ式パッキン入り容器の蓋部に、電池ケースを付け、衝撃からの防護の為のカバーをかぶせる。そして、点滅ＬＥＤライトと懐中電灯用ＬＥＤライトのスイッチをカバー内部に付ける。カバーの一部を反射板にする。そして、カバーの側面に点滅ＬＥＤライトを付け、柔軟性のあるシリコン素材でこれを防護する。そして、蓋部の側面に持ち運び用の取り外し可能な手提げを付ける。【選択図】図１
0003177685.tif 000002
【実用新案登録請求の範囲】
【請求項１】
強度のあるねじ式パッキン入り義歯保管ケースの蓋部に、電池入れと点滅ＬＥＤライトと懐中電灯用ＬＥＤライトのスイッチ、そして懐中電灯用ＬＥＤライトを付け、防護の為の強化カバーをかぶせる。なお、懐中電灯用ＬＥＤライトと強化カバーが接する部分は、カバーを一部反射板にする。カバーの側面には、点滅ＬＥＤライトを付け、柔軟性のあるシリコン素材で防護する。容器の蓋部の側面には、取り外し可能な手提げを付ける
【考案の詳細な説明】
【技術分野】
【０００１】  本考案は、従来の義歯保管ケースに加え、蓋部に、点滅し置いた場所がわかりやすいＬＥＤライト、前を照らすことの出来る懐中電灯用ＬＥＤライトの２つを兼ね備えた、緊急時や災害時に強い義歯保管ケースである。
【背景技術】
【０００２】  従来の義歯保管ケースでは、緊急時、災害時などに、置き場所がわからなくなるケースが多かった。その為、眠りが浅くなってしまっていた。
【考案の概要】
【考案が解決しようとする課題】
【０００３】  従来の義歯保管ケースでは、地震などの緊急時、暗中だと置き場所がわからない。従って、義歯保管ケースと、光により置き場所がわかり易くなるＬＥＤライトの機能を一体化することにより、緊急時でもすぐに場所がわかり持ち運びし易くなる事で、前述の欠点を解決しようとするものである。考案者は、試作品を半年間使用したところ、快眠となった。
【課題を解決するための手段】
【０００４】  本考案は、義歯保管ケースに、電池入れ、点滅ＬＥＤライトと懐中電灯用ＬＥＤライトのスイッチ、懐中電灯用ＬＥＤライト、それらを保護する強化カバー、点滅ＬＥＤライト、手提げを付ける。それにより、点滅ＬＥＤライトの光により、暗中でも本考案の場所がわかり易くなり、さらに、懐中電灯用ＬＥＤライトを点灯させる事で、暗中を照らす事が出来、歩行が安全になる。しかも、手提げを取り外し可能にする事で、携帯も出来る。そして、点滅ＬＥＤライトの光の明るさで、電池の残量がわかり易く、早めに交換できる。
【図面の簡単な説明】
【０００５】
【図１】  本考案の全体的な図である。
【図２】  蓋部を上から見た図である。手提げは省略してある。
【図３】  点滅ＬＥＤライトとそれを保護する部位の図である。
【考案を実施する為の形態】
【０００６】  義歯保管ケースは、樹脂系のプラスチックで製作する事で、安価に美観性のある容器と、中蓋、シリコンゴムを使用したパッキンが付いた蓋からなる。
【０００７】  容器の内部は、底に１枚、さらに入れ歯と入れ歯の間に１枚、スポンジを入れる。そして、入れ歯洗浄剤などを容器に入れることで、入れ歯を清潔に保つことが出来る。
【０００８】  蓋部の上部に、電池入れ、点滅ＬＥＤライトと懐中電灯用ＬＥＤライトのスイッチ、そして懐中電灯用ＬＥＤライトを設置し、衝撃を防護する為の強化カバーを取り付ける。カバーは取り外し可能である。なお、懐中電灯用ＬＥＤと強化カバーが接する部分は、反射板にすることで、光の明るさを強くする。懐中電灯用ＬＥＤは白色である。
【０００９】  防護カバーの側面に点滅ＬＥＤライトを取り付け、柔軟性のあるシリコン素材で防護する。なお、点滅ＬＥＤライトは赤色である。
【００１０】  容器の蓋部の側面に、取り外し可能な手提げを付ける。
【実施例】
【００１１】  以下、添付図面に従って実施例を説明する。１は樹脂系のプラスチックで製作された容器、２はシリコンゴムを使用したパッキンが付いた蓋である。２はねじ式で、回すことにより１と２が分離する。【００１２】  ３は電池、４は点滅ＬＥＤライトが付着した板状の柱である。５は強化カバーであり、図では一部省略してある。実際は電池パックなど全体を隠す。【００１３】  ６は取り外し可能な手提げである【００１４】  ７は、点滅ＬＥＤライト８のスイッチである。９は、懐中電灯用ＬＥＤ１０のスイッチである。１１は、柔軟性のあるシリコン素材で製作された、点滅ＬＥＤライトを防護するカバーである。
【符号の説明】
【００１５】１  入れ歯収納容器
２  蓋部
３  電池
４  点滅ＬＥＤライト設置棒
５  カバー
６  手提げ
７  点滅ＬＥＤライトのスイッチ
８  点滅ＬＥＤライト
９  懐中電灯用ＬＥＤライトのスイッチ
１０  懐中電灯用ＬＥＤライト
１１  点滅ＬＥＤライトのカバー
【図１】
0003177685.tif 000003
【図２】
0003177685.tif 000004
【図３】
0003177685.tif 000005
【手続補正書】
【提出日】平成24年4月23日(2012.4.23)
【手続補正１】
【補正対象書類名】明細書
【補正対象項目名】０００４
【補正方法】変更
【補正の内容】
【０００４】  本考案は、義歯保管ケースに、電池入れ、点滅ＬＥＤライトと懐中電灯用ＬＥＤライトのスイッチ、懐中電灯用ＬＥＤライト、それらを保護する強化カバー、点滅ＬＥＤライト、手提げを付ける。それにより、点滅ＬＥＤライトの光により、暗中でも本考案の場所がわかり易くなり、さらに、懐中電灯用ＬＥＤライトを点灯させる事で、暗中を照らす事が出来、歩行が安全になる。
【手続補正２】
【補正対象書類名】明細書
【補正対象項目名】００１５
【補正方法】変更
【補正の内容】
【００１５】１    入れ歯収納容器
２    蓋部
３    電池
４    点滅ＬＥＤライト設置棒
５    カバー
６    手提げ
７    点滅ＬＥＤライトのスイッチ
８    点滅ＬＥＤライト
９    懐中電灯用ＬＥＤライトのスイッチ
１０  懐中電灯用ＬＥＤ
１１  点滅ＬＥＤライトのカバー
１２  震災用スペア電池
【手続補正３】
【補正対象書類名】図面
【補正対象項目名】全図
【補正方法】変更
【補正の内容】
【図１】
0003177685.tif 000006
【図２】
0003177685.tif 000007
【図３】
0003177685.tif 000008
【手続補正書】
【提出日】平成24年6月13日(2012.6.13)
【手続補正１】
【補正対象書類名】実用新案登録請求の範囲
【補正対象項目名】全文
【補正方法】変更
【補正の内容】
【実用新案登録請求の範囲】
【請求項１】
強度のあるネジ式パッキン入り義歯保管ケースの蓋部に、電池入れと点滅ＬＥＤライトと懐中電灯用ＬＥＤライトのスイッチ、そして懐中電灯用ＬＥＤライトを付け、防護の為の強化カバーをかぶせ、懐中電灯用ＬＥＤライトと強化カバーが接する部分は、カバーを一部反射板にし、カバーの側面には、点滅ＬＥＤライトを付け、柔軟性のあるシリコン素材で防護し、容器の蓋部の側面には、取り外し可能な手提げを付けることを特微とする義歯保管ケース。
(57)【要約】      （修正有）【課題】収納ケースを横に４個並べ、ベッド下の収納ケースとして利用するにあたり収納ケースが前後左右にずれないよう収納ケースとボードに凹凸を付け、安価にて簡単に作り上げることが出来るベッドを提供する。【解決手段】収納ケース１の上部に凹みを計８カ所設けた４個のケースと、其々を繋ぐ板２の底部に凸を計８カ所設けて一体化した厚み１０ミリ以上の敷き板５枚の組み合わせ、凹部に凸部をはめ込むことにより収納ケースの前後左右のズレをなくす。また、収納ケース４個の両サイドは敷き板の半分がオーバーするため、その空間にも小物などを納める有効スペースができることにより、なお一層の室内空間が得られることとなる。【選択図】図１
0003177684.tif 000002
【実用新案登録請求の範囲】
【請求項１】
本体は凹み８カ所を設けた収納ケース４ケースと凸を８カ所設けた敷き板５枚を組み合わせ収納ケースが前後左右にずれないよう、敷き板を組み合わせることにより限られた室内空間に物入れとベッドを定価格で簡単に収納ケース付き簡易ベッドが出来るのを特徴とする。
【考案の詳細な説明】
【技術分野】
【０００１】  本考案は、収納ケースを横に４個並べ、ベッド下の収納ケースとして利用するにあたり収納ケースが前後左右にずれないよう収納ケースとボードに凹凸を付け、安価にて簡単に作り上げることが出来るベッドに関するものである。
【背景技術】
【０００２】  居住部屋の限られたスペース内で、寝具、衣類、小物雑貨などを押入れなどに雑然と仕舞い込み、またタンスや整理棚などに片付けられていた。
【考案の概要】
【考案が解決しようとする課題】
【０００３】  寝具、衣類、小物雑貨など限られた居室スペースの中で片付ける必要がある。さらに押入れや収納庫などが無い部屋では就寝用の空間すらまともにとれない状況も見受けられる。従って、収納ケースと収納ケース合計４個を固定することにより就寝用の空間であるベッドが得られ前述の欠点を解決しようとするものである。
【課題を解決するための手段】
【０００４】  本考案は、各収納ケース上部に８ヶ所の凹みを設け、その上に置く５枚の敷き板に各８ヶ所の凸を設け、収納ケースの凹に敷き板の凸をはめ込みジョイントすることにより問題点を解決している。
【考案の効果】
【０００５】  上述の様に、本考案の収納ケース組み合わせによる簡易ベッドは収納ケースに衣類や雑貨、小物などを収納するは勿論、各収納ケースどうしを結合板でジョイントしたことにより前後左右にずれることはなくなり、しかも結合板が収納ケースを補強しベッド用の底板になることにより限られた室内空間を有効利用することに役立つ。
【図面の簡単な説明】
【０００６】
【図１】本考案の収納ケース組み合わせによる簡易ベッドの一実施例を示す斜視図である。
【図２】本考案の敷き板切欠断面図である。
【図３】本考案の敷き板底部である。
【図４】本考案の収納ケース斜視図である。
【考案を実施するための形態】
【０００７】  収納ケース本体上部に８カ所の凹みを作り、その凹位置に合わせた８カ所の凸を形成した敷き板を収納ケースと収納ケースを繋ぐ要領で覆い被せることにより収納ケースと収納ケースの前後左右のズレを防止でき、敷き板により収納ケースの補強も可能となる。
【実施例】
【０００８】  以下、添付図面に従って一実施例を説明する。図１の斜視図は本考案の全体図であり、収納ケースと敷き板は耐久性のプラスチックス等適宜素材にて形成されている。図２は敷き板の切欠断面図で底部に凸ａ４ヶ所、凸ｂ４ヶ所の計８カ所が一体化された厚み１０ミリ板と、図３の収納ケース上部に凹ａ’４ヶ所、凹ｂ’４ヶ所の計８カ所の凹みが形成されている。【０００９】  収納ケースと収納ケースを繋ぐ場合は敷き板を図１の様に半分ずつずらして凹凸部分にはめ込むことにより収納ケースの前後左右のズレがなくなり収納ケースの補強にもなる。【００１０】  本考案の一実施例は上述の如き構成から成るものであるから、収納ケース４個を繋ぐことにより敷き板は５枚必要となり、収納ケース４個の両サイドは敷き板の半分がオーバーするが、その空間にも小物などを納める有効スペースができる。
また、市販の収納ケースを利用する場合は収納ケース上に敷き板ａおよびｂの凸に寸法合わせをし、収納ケース上部にキリ、カッターナイフ、電気ドリル等々で凹みを作ることにより、本考案同様の効果がある。
【符号の説明】  １  収納ケース
２  敷き板
ａ  敷き板の底部凸
ａ’収納ケース上部の凹
ｂ  敷き板の底部凸
ｂ’収納ケース上部の凹
【図１】
0003177684.tif 000003
【図２】
0003177684.tif 000004
【図３】
0003177684.tif 000005
【図４】
0003177684.tif 000006
【手続補正書】
【提出日】平成24年5月17日(2012.5.17)
【手続補正１】
【補正対象書類名】実用新案登録請求の範囲
【補正対象項目名】全文
【補正方法】変更
【補正の内容】
【実用新案登録請求の範囲】
【請求項１】
上部面に凹み８カ所を設けた収納ケース４個と、前記収納ケースの凹みに係合する８ケ所の凸部を設けた敷き板５枚から成ることを特徴とする収納ケース組み合わせによる簡易ベッド。
(57)【要約】      （修正有）【課題】蛸釣りおいては蛸に対する釣具のアピール度が重要であるが、容易に強力なアピール効果が得られる蛸釣具を提供する。【解決手段】餌を固定する餌取付け板１に釣り針を固定し、釣り針２と反対側に錘５を取り付けた蛸釣具について、餌取付け板の下側に海底の障害物に当てさせるための前足と回転して立ち上がる後足とが一体である擬似蟹足７を回転用軸に間隔材と共に複数個装着したことを特徴とする蛸釣具。【選択図】図１
0003177690.tif 000002
【実用新案登録請求の範囲】
【請求項１】
餌を固定する餌取付け板に釣り針を固定し、釣り針と反対側に錘を取り付けた蛸釣具において、蟹の足の動きを演出させるための擬似蟹足装置を餌取付け板の下側に取付けたことを特徴とする蛸釣具。
【請求項２】
前記擬似蟹足装置は海底の障害物に当てさせるための前足と回転して立ち上がる後足とが一体である擬似蟹足を回転用軸に間隔材と共に複数個装着したことを特徴とする請求項１記載の蛸釣具。
【請求項３】
前記擬似蟹足の後足には視覚的にアピール効果が強い蛍光質の装飾を施したことを特徴とする請求項２記載の蛸釣具。
【考案の詳細な説明】
【技術分野】
【０００１】
本考案は、蛸釣具に関する。
【背景技術】
【０００２】
蛸釣りおいては蛸に対する仕掛けのアピール度が重要であり、如何にアピールさせるかが釣果を左右する要因となっている。
【０００３】
従来の餌を使用する蛸釣具においては蛸に捕食させるための餌を引っ掛け針のついた餌取付け板に針金あるいは紐で固定した仕掛けを海底を引きずることにより行われているが、アピール度を増すための方策として仕掛けの色を工夫したり擬似の蟹を括り付けたり、あるいはラインに反射テープ等を取り付ける等によりアピール度の向上を図っている現状である。
【０００４】
前記による蛸釣具を使用し釣果を上げるには蛸に対する高度なアピールテクニックを必要としており、釣り手の技術の熟練度により大きな釣果差が出ている。
【考案の概要】
【考案が解決しようとする課題】
【０００５】
蛸へのアピールが容易かつ効果的に行うことができる蛸釣具の提供を課題とする。
【課題を解決するための手段】
【０００６】
前記課題を解決するために、請求項１記載の本考案品は餌を餌取付け板に針金で巻きつけて固定し、餌取付け側の反対側に錘を取り付けた蛸釣具として従来から公知の型式のものに、蟹の足の動きを演出させるための擬似蟹足装置を付加した機構を特徴とする蛸釣具である。
【考案の効果】
【０００７】
本考案品の蛸釣具に餌を取付けて海底を引きずることにより擬似蟹足の前足を海底の小石等の障害物に引っかけさせ、これを原動力として回転軸を支点にテコの原理にて擬似蟹足の後ろ足を立ち上がらせる。この動きは蛸が嗜好する蟹の歩行を演出することになり、この視覚的アピールと立ち上がった擬似蟹足が元に戻った際に足先が海底を叩く衝撃音による聴覚的アピールとの相乗効果をもって大きなアピール効果が得られるものである。
【図面の簡単な説明】
【０００８】
【図１】図１は本提案品の擬似蟹足装置を装着した説明図である。
【図２】図２は本考案品の動作模様を示した説明図である。
【図３】図３は本考案品の側面からの説明図である。
【図４】図４は本考案品の上下側からの説明図である。
【考案を実施するための形態】
【０００９】
以下、図面を用いて本考案の実施の形態について説明する。
本実施形態に係る蛸釣具は、図１に示すように餌取付け板１の上側に釣り針２を固定し、餌取付け側の裏側に錘５を取り付けた蛸釣具として公知の型式のものに、蟹足の動きを演出させるための擬似蟹足装置７を備えた機構を特徴とする蛸釣具である。
本考案品による蛸釣具は釣り糸連結部３を経由して海底を引きずることにより、図２のごとく海底の小石や貝殻等の障害物に擬似蟹足部の前足Ａをひっかけさせ、前足が後ろへ引かれる力を動力源として擬似蟹足取付け軸Ｂを支点としてテコ原理で回転力が働き、後足の擬似蟹足を立ち上げさせるものである。
図1において擬似蟹足６にはＬ字型の曲部内側に円柱管の軸を通すための挿入環Ｃを有している。
擬似蟹足部７は前記した擬似蟹足６を複数個取付けることにより構成している。この擬似蟹足部７の蛸釣具本体への取付けは図３の記号９で示す本体と一体成型された擬似蟹足部軸受け部に固定する。
また本考案品の蛸釣具本体の形状には擬似蟹足の立ち上がりを制御するための調整翼４を設けている。
【実施例１】
【００１０】
本考案の蛸釣具は図１、図３に示すように、餌取付け板１、釣り針２、釣り糸連結部３、調整翼４、錘５、擬似蟹足(単体)６、擬似蟹足部７、擬似蟹足部軸８、擬似蟹足部軸受け部９、擬似蟹足装飾材料１０、間隔材１１を具えて構成される。
【００１１】
蛸釣具の本体となる餌取付け板1は硬質プラスチックで形成され、その中央付近下側に本体と一体で成型した擬似蟹足部軸受け部９を設ける。
【００１２】
餌取付け板には擬似蟹足の立ち上がり角度を抑制するための調整翼４を設けるが、この翼により擬似蟹足部を海底の障害物から保護をする。
【００１３】
擬似蟹足６を装飾する材料１０は視覚的にアピール効果が強い蛍光質の材質を使用し、擬似蟹足６の末端は金属部を露出させる。
【００１４】
擬似蟹足部には擬似蟹足同士が絡まないよう擬似蟹足間にパイプ状の間隔材１１を挿入する。
【符号の説明】
【００１５】
１    餌取付け板
２    釣り針
３    釣り糸連結部
４    調整翼
５    錘
６    擬似蟹足（単体）
７    擬似蟹足部
８    擬似蟹足部軸
９    擬似蟹足部軸受け部
１０  擬似蟹足装飾材料
１１  間隔材
Ａ    擬似蟹足の前足
Ｂ    擬似蟹足取付け軸
Ｃ    擬似蟹足（単体）を軸に通すための挿入環
【図１】
0003177690.tif 000003
【図２】
0003177690.tif 000004
【図３】
0003177690.tif 000005
【図４】
0003177690.tif 000006
【手続補正書】
【提出日】平成24年6月11日(2012.6.11)
【手続補正１】
【補正対象書類名】実用新案登録請求の範囲
【補正対象項目名】全文
【補正方法】変更
【補正の内容】
【実用新案登録請求の範囲】
【請求項１】
餌を固定する餌取付け板に釣り針を固定し、釣り針と反対側に錘を取り付けた蛸釣具について、餌取付け板の下側に海底の障害物に当てさせるための前足と回転して立ち上がる後足とが一体である擬似蟹足を回転用軸に間隔材と共に複数個装着したことを特徴とする蛸釣具。
【請求項２】
前記擬似蟹足の後足には視覚的にアピール効果が強い蛍光質の装飾を施したことを特徴とする請求項１記載の蛸釣具。
(57)【要約】      （修正有）【課題】家庭から排出されるゴミを、鳥獣からガードする為のゴミ用の折りたたみ式ネットを提供する。【解決手段】スティールパイプ等のように、折れにくい棒状の素材を３本以上それぞれＵ字型に曲げ、それぞれの両端を留め金具２にピン等で留め、両端の留め金具２を機軸にしてそれぞれが扇状に作動する構造物に、鳥獣等がいたずら出来ない程度の粗さのネット４を、１８０度扇状に開閉するように覆い取り付ける。【選択図】図２
0003177686.tif 000002
【実用新案登録請求の範囲】
【請求項１】
折りたたみ式のゴミ用ネット。
【考案の詳細な説明】
【技術分野】
【０００１】本考案は、家庭から排出されるゴミを、回収車が回収するまでの間保護するための折りたたみ式ネットである。
【背景技術】
【０００２】従来、ゴミを、鳥獣の悪戯からガードする折りたたみ式のネットはなかった。
【考案の概要】
【考案が解決しようとする課題】
【０００３】各家庭から排出されるゴミは、自治体によっては、ビニール袋に入れて家の前の路上に出しておき、回収車が回収するという方法が採られている、しかし、当然生ゴミが混入しているため、カラスや猫等に喰いちらされ、回集車が来るまで再度掃除をしなければならないという事が、往々にしてあった。そこで、ネットを覆う等の策を構ずるも、隙間から生ゴミを引きずり出される等、あまり効果がなかった。
本考案はこういった課題を解消するためになされたものである。
【課題を解決するための手段】
【０００４】回収車が来るまでのゴミを、完全に覆うことが出来る、折りたたみ式のネットを考案した。
【考案の効果】
【０００５】本考案のネットは、ネットの下部周囲が、完全に地面と密着するため、鳥獣等に喰いちらされる隙間が出来ない、その上折りたたみ式のため、ネットを広げる煩わしさも無く、回収の担当者も片手でたたむことが出来るので労力を要しない、又、折りたたむとコンパクトになり、軽量なので屋内屋外への持ち運びが簡単である。
【考案を実施するための形態】
【０００６】以下、本考案の実施の形態について説明する。先ずスティールパイプ等のように、折れにくい硬い材質のものを（１）のようなＵ字型に形成し、その両端に（３）のピンを通すための穴を開けておく、以上のような部品（１）を少なくとも４体作製し、（２）の穴の開いた止め具２つに、（１）の両端を各各、（３）のピンで止め、（２）の止め具を基点にして自在に開閉する骨組みを作製する、以上の骨組みに、（４）のネットを取り付けた構造物である。
【図面の簡単な説明】
【０００７】
【図１】本考案の骨組みを示した斜視図である。
【図２】本考案の骨組みにネットを取り付けた斜視図である。
【図３】本考案の骨組みを折りたたんだ状態の斜視図である。
【符号の説明】
【０００８】１  Ｕ字型部品
２  止めかな具
３  ピン
４  ネット
５  取っ手
【図１】
0003177686.tif 000003
【図２】
0003177686.tif 000004
【図３】
0003177686.tif 000005
【手続補正書】
【提出日】平成24年5月28日(2012.5.28)
【手続補正１】
【補正対象書類名】実用新案登録請求の範囲
【補正対象項目名】全文
【補正方法】変更
【補正の内容】
【実用新案登録請求の範囲】
【請求項１】
スティールパイプ等のように、折れにくい棒状の素材を３本以上それぞれＵ字型に曲げ、それぞれの両端を留め金具にピン等で留め、両端の留め金具を機軸にしてそれぞれが扇状に作動する構造物に、鳥獣等がいたずら出来ない程度の粗さのネットを、１８０度扇状に開閉するように覆い取り付けた、ゴミ保護用のネット。
(57)【要約】      （修正有）【課題】車止めブロックとしても利用でき、一度設置すれば動かさなくても良く、容易に穴あきパイプ設置及び接続作業を行う事ができるブロックを提供する。【解決手段】ブロック本体１に穴あきパイプ設置溝５、固定金具設置溝６、ジョイント設置溝７を形成する。【選択図】図３
0003177688.tif 000002
【実用新案登録請求の範囲】
【請求項１】
ブロック本体の長さは６０．０ｃｍから２００．０ｃｍの範囲とする。
【請求項２】
ブロック本体には穴あきパイプ・固定金具及びジョイント設置溝を設けるものとする。
【考案の詳細な説明】
【技術分野】
【０００１】本考案は冬季において雪を解かすにあたり、形成されたコンクリートブロック本体及び穴あきパイプ・ジョイント部接合に関するものである。
【背景技術】
【０００２】従来は冬季において、様々な市販製品はあったが期間が過ぎれば一度片付けなくてはならなかった。
【考案の概要】
【考案が解決しようとする課題】
【０００３】車止めブロックとしても利用でき、一度設置すれば動かさなくても良く、容易に穴あきパイプ設置・接合が可能な構造とする。
【課題を解決するための手段】
【０００４】ブロック本体に穴あきパイプ・固定金具及びジョイントの溝を形成する事により、問題点を解決しようとするものである。
【考案の効果】
【０００５】上述の様に、本考案のコンクリートブロックはブロック本体に穴あきパイプ・固定金具及びジョイントの溝を設ける事により、容易に設置・接合を行う事ができる。
【図面の簡単な説明】
【０００６】
【図１】  本考案の散水管及びコンクリートブロックの上面図である。
【図２】  本考案の散水管及びコンクリートブロックの断面図である。
【図３】  本考案の散水管及びコンクリートブロックの側面図である。
【図４】  本考案の散水管及びコンクリートブロックの部分詳細図である。
【考案を実施するための形態】
【０００７】ブロック本体設置箇所を決め、指定の位置に据え付け及び埋設するものとする。
ブロック本体に設けられた溝に穴あきパイプ・固定金具及びジョイントを設置するものとする。
【実施例】
【００８】以下、添付図面に従って実施例を説明する。
１はコンクリートによって形成されたブロック本体、２は穴あきパイプ、３は固定金具、５は穴あきパイプ設置溝、６は固定金具設置溝、７は穴あきパイプ同志を接続する為のジョイント設置溝である。ジョイント４については差込み及びねじ込み方式である。ブロック本体１を設置し、穴あきパイプ２をジョイント４で接続した後、穴あきパイプ設置溝５及びジョイント設置溝７に置き、固定金具３により固定金具設置溝６に合わせ、取付けを行うものとする。又、固定金具３で押さえる形になるので、上に跳び上がる若しくはずれる事はない。
【符号の説明】
【０００９】  １  ブロック本体
２  穴あきパイプ
３  固定金具
４  ジョイント
５  穴あきパイプ設置溝
６  固定金具設置溝
７  ジョイント部設置溝
【図１】
0003177688.tif 000003
【図２】
0003177688.tif 000004
【図３】
0003177688.tif 000005
【図４】
0003177688.tif 000006
【手続補正書】
【提出日】平成24年5月25日(2012.5.25)
【手続補正１】
【補正対象書類名】実用新案登録請求の範囲
【補正対象項目名】全文
【補正方法】変更
【補正の内容】
【実用新案登録請求の範囲】
【請求項１】
長さが６０．０ｃｍから２００．０ｃｍの範囲であるブロック。
【請求項２】
穴あきパイプ設置溝・固定金具設置溝・ジョイント設置溝を設けている事を特徴とする請求項１記載のブロック。
(57)【要約】      （修正有）【課題】長時間座っていた後でも背もたれ部のカバーに付着する体臭を感じさせないようにする消臭椅子カバーを提供する。【解決手段】背面カバーシート１１及び前面カバーシート１２を備え、下部が開口された袋状となっており、前記背面カバーシート１１の表面が遊技場の通路側に臨むように椅子の背もたれ部を覆うカバー本体と、着座者の背中を支える前記前面カバーシート１２の裏面側に設けられ、内部に収納が可能なポケットと、前記ポケットに出し入れ可能に収納される消臭シート１３と、を含み、前記消臭シート１３に含まれる消臭剤は活性炭素であることを特徴とする。【選択図】図３
0003177605.tif 000002
【実用新案登録請求の範囲】
【請求項１】
背面カバーシート及び前面カバーシートを備え、下部が開口された袋状となっており、前記背面カバーシートの表面が遊技場の通路側に臨むように椅子の背もたれ部を覆うカバー本体と、
着座者の背中を支える前記前面カバーシートの裏面側に設けられ、内部に収納が可能なポケットと、
前記ポケットに出し入れ可能に収納されるか、あるいは芯材として前記ポケットに縫い込まれる消臭シートと、
を含むことを特徴とする消臭椅子カバー。
【請求項２】
前記消臭シートに含まれる消臭剤は活性炭素であることを特徴とする請求項１記載の消臭椅子カバー。
【考案の詳細な説明】
【技術分野】
【０００１】
本考案は消臭椅子カバーに係り、より詳しくは、パチンコ用の椅子カバーで、背もたれ部の内部に消臭剤を織り込んだ消臭シートを挿入して遊技者の体臭を除去できるようにした消臭椅子カバーに関する。
【背景技術】
【０００２】
パチンコ用の椅子には、背もたれ部にカバーが掛けられ、カバー表面にイベント内容や新規導入台の宣伝などの絵柄が描かれて店内雰囲気の盛り上げや、夏期においては清涼感の演出、冬季においては温暖感を出すために効果を上げている。
しかし、パチンコ店では長時間同じ姿勢でゲームを楽しむことが多いため背もたれ部には遊技者の体臭が残り、次の遊技者に不快感を与えることがある。
【先行技術文献】
【特許文献】
【０００３】
【特許文献１】特開２００８−２１２３９４号公報
【特許文献２】特開２００５−６６１５１号公報
【考案の概要】
【考案が解決しようとする課題】
【０００４】
本考案は、長時間座っていた後でも背もたれ部のカバーに付着する体臭を感じさせないようにする消臭椅子カバーの提供を目的とする。
【課題を解決するための手段】
【０００５】
本考案は、背面カバーシート及び前面カバーシートを備え、下部が開口された袋状となっており、前記背面カバーシートの表面が遊技場の通路側に臨むように椅子の背もたれ部を覆うカバー本体と、着座者の背中を支える前記前面カバーシートの裏面側に設けられ、内部に収納が可能なポケットと、前記ポケットに出し入れ可能に収納されるか、あるいは芯材として前記ポケットに縫い込まれる消臭シートと、を含むことを特徴とする。
【０００６】
前記消臭シートに含まれる消臭剤は活性炭素であることを特徴とする。
【考案の効果】
【０００７】
本考案によれば、着座者の背中部分に対応するよう前面カバーシートの内側にポケットが形成され、ポケットに消臭剤を含む消臭シートを挿入することが出来るため、着座者が席を立った後に着座者の体臭が感じられることがなくなる。
【図面の簡単な説明】
【０００８】
【図１】本考案の椅子カバーの正面図である。
【図２】本考案の椅子カバーの背面図である。
【図３】本考案の椅子カバーの前面カバーシートに消臭シートを装着する状況を示す図である。
【図４】本考案の椅子カバーを椅子に取り付けた状態図である。
【考案を実施するための形態】
【０００９】
以下、図面を参照し本考案について説明する。
図１は、本考案の椅子カバー１０の正面図、図２は、本考案の椅子カバー１０の背面図である。
図３は、本考案の椅子カバー１０の前面カバーシート１２に消臭シート１３を装着する状況を示す図であり、図４は、本考案の椅子カバー１０を椅子１５に取り付けた状態図である。
本考案は、後面カバーシート１１及び前面カバーシート１２を備え、下部が開口された袋状となっている。後面カバーシート１１の表面が遊技場の通路側に臨むように椅子の背もたれ部を覆うカバー本体と、着座者の背中を支える前面カバーシート１２の裏面側に設けられ、内部に収納が可能なポケットと、ポケットに出し入れ可能に収納される消臭シート１３と、を含む。
【００１０】
本考案の実施例で、消臭シート１３は、消臭剤を含有するシートであり、消臭シートに含まれる消臭剤は活性炭素である。
消臭シートは、椅子の背もたれ部を覆うカバー本体と、着座者の背中を支える前面カバーシート１２の裏面側に設けられるポケットに収納され、定期的に取り替えできるようになっている。
ただし、消臭シートは、芯材として前記ポケットに縫い込まれるようにしてもよい。
【００１１】
図３に示す通り、本発明の消臭シートは、前面カバーシート１２の裏面側に設けられた切れ目からポケット内部に挿入し、図３Ａ−Ａ断面図に点線で示す状態に装着する。
この状態であれば、前面カバーシート１２にもたれ掛かる着座者の背中に前面カバーシート１２の表層部を介して接触し、着座者の体臭を吸収することができる。
即ち、本考案によれば、着座者の背中部分に対応するよう前面カバーシートの内側にポケットが形成され、ポケットに消臭剤を含む消臭シートを挿入することが出来るため、着座者が席を立った後に着座者の体臭が感じられることがなくなる。
【符号の説明】
【００１２】
１０  椅子カバー
１１  後面カバーシート
１２  前面カバーシート      
１３  消臭シート
１５  椅子
【図１】
0003177605.tif 000003
【図２】
0003177605.tif 000004
【図３】
0003177605.tif 000005
【図４】
0003177605.tif 000006
(57)【要約】      （修正有）【課題】残油を別のポリタンクやファンヒーター等の灯油タンクに入れるとき、こぼれないように工夫したじょうご形蓋を提供する。【解決手段】ポリタンクの蓋をじょうご形にする。【選択図】図１
0003177608.tif 000002
【実用新案登録請求の範囲】
【請求項１】
従来のポリタンクの蓋をじょうご形の構造にしたことを特徴とする、じょうご形蓋（１）。
【考案の詳細な説明】
【技術分野】
【０００１】
本考案は、ポリタンクに残った灯油を入れるときに、漏らさないようにした、じょうご形蓋に関するものである。
【背景技術】
【０００２】
従来、ポリタンクからファンヒーター等の灯油タンクに入れる際、手動ポンプや電動ポンプを用いる。しかしどうしても底に灯油が残ってしまうため、完全にポリタンクを空にすることができず、じょうごなどを使い直接入れていた。
残油の量を極力少なくする、ポリタンクの底に溜まりを設けている発明も知られている（特許文献１）。
【先行技術文献】
【特許文献】
【０００３】
【特許文献１】特開２０１１−２３０８４７号広報
【考案の概要】
【考案が解決しようとする課題】
【０００４】
これは、次のような問題点があった。
ポリタンクに残った灯油を灯油タンクに移す際、じょうご等を使って直接いれるため、溢れたりして汚すケースがあった。
本考案は、以上の欠点をなくすためになされたものである。
【課題を解決するための手段】
【０００５】
ポリタンクの蓋を図１のように、じょうご形にしたものである。残油を空にするとき、この蓋をつけて灯油タンク等にいれる。
本考案は、以上の構成よりなる、じょうご形蓋である。
【考案の効果】
【０００６】
ポリタンクの蓋を取り替えて、容易に残油を入れることが出来、こぼれたり汚したりすることがない。取り付けが簡単で油漏れもなく。既存のポリタンクの形状も変えずそのまま利用できる。
【図面の簡単な説明】
【０００７】
【図１】じょうご形蓋の斜視図
【図２】ポリタンクに取り付けた状態の斜視図
【図３】蓋の内部の構造を示した断面図
【考案を実施するための形態】
【０００８】
以下、本考案を実施するための形態について説明する。
（イ）  一般の蓋にじょうごを一体化して成形したものである。液が漏れないようにネジ（２）で蓋を締める構造となっている。
（ロ）  蓋（１）の内部には、漏油を防止するためにパッキン（３）を設けている。
本考案は、以上のような構造である。
これを使用するときは、電動ポンプや手動ポンプで底に残った灯油を完全に空にしたいとき、従来の蓋のかわりに、このじょうご形蓋を取り付けて入れる。
【符号の説明】
【０００９】
１  蓋本体
２  ネジ部
３  パッキン
【図１】
0003177608.tif 000003
【図２】
0003177608.tif 000004
【図３】
0003177608.tif 000005
(57)【要約】      （修正有）【課題】特定の場所でのみ入手できる名水とその近辺の神社仏閣で御祈願した御札を組み合わせた、名水入りお守りを提供する。【解決手段】神社仏閣の御祈願を受けた御札と、蓋付きの注入口又は、両側から指で強く挟むと口が閉じる簡易チャックを備える名水を収納する容器と、御札と容器を収納するお守り袋で構成される。【選択図】図１
0003177673.tif 000002
【実用新案登録請求の範囲】
【請求項１】
神社仏閣の御祈願を受けた御札と、注入口を備えて名水（液体）を収納する容器（両側から指で強く挟むと口が閉じる簡易チャック式も含む）と、前記注入口に取り付けて前記容器を密閉する蓋と、前記御札、前記容器の二つを収納するお守り袋で構成された事を特徴とする名水（液体）入りお守り。
【請求項２】
前記御札の代わりに、前記名水入り容器を神社仏閣で御祈願してもらい、名水自体を御守りの御本尊としても良く、その形状は球形やハート型、星型、ダイヤ型、だるま型、干支型、七福神型、仏像型、招き猫型、動物型、架空の生物型、キャラクター型のいずれかとした事を特徴とする名水（液体）入りお守り。
【考案の詳細な説明】
【技術分野】
【０００１】本考案は、各地の名水や液体を入れる事の出来る名水（液体）入りお守りに関する。
【背景技術】
【０００２】従来、神社仏閣等では様々なお守りや、絵馬などがお土産として売られておりそれらを買い求めるのが訪れた人々の重要な楽しみとなっている。【０００３】しかしながら、これらお守りの中身は大体がその神社仏閣等で御祈願された御札などが入っているのが伝統的で一般的であり、お守り袋の形状や名称でのみ違いを判断せざるを得ず、例えば、その地が有名な名水の地であったりしても大きな特徴を持つお守り等は無かった。
【考案の概要】
【考案が解決しようとする課題】
【０００４】そこで、本考案はその地が例えば名水の里の神社やお寺であったり、例えば有名な滝や川が近くを流れていたりする場合にそれらの名水（液体）をも、お守り袋の中に納める事で神社仏閣の御利益と合わせて名水のご利益も持ち帰っていただく、名水（液体）入りお守りを提供する。
【課題を解決する為の手段】
【０００５】本考案は、上記の課題を解決する為に、神社仏閣の御祈願を受けた御札と、注入口を備えて名水（液体）を収納する容器（両側から指で強く挟むと口が閉じる簡易チャック式を含む）と、前記注入口に取り付けて前記容器を密閉する蓋と、前記御札、容器を収納するお守り袋を備えた事を特徴とする名水（液体）入りお守りの構成とした。
【０００６】また、お守り袋の中に入れる名水入り容器を前記御札の代わりの御本尊としても良いし、容器の形状も球形やハート型、星型、ダイヤ型、干支型、七福神型、仏像型、だるま型、招き猫型、動物型、架空の生物型、キャラクター型のいずれかとした事を特徴とする、名水（液体）入りお守りの構成とした。
【考案の効果】
【０００７】本考案は、上記のような構成であるためその土地でしか手に入らない名水を容器に汲み入れ、お守り袋に入れてお守りとして肌身離さず持ち歩く事が出来る。
【図面の簡単な説明】
【０００８】
【図１】  本考案を構成する名水（液体）を収納する容器の斜視図である
【図２】  本考案を構成する神社仏閣で御祈願した御札（御本尊）の斜視図である。
【図３】  本考案を構成するお守り袋の正面図である。
【考案を実施するための形態】
【０００９】  以下、添付の図面を参照し、本考案の実施の形態について詳細に説明する。図１は各地の名水や、液体を収納する容器の一形態の斜視図である。図２は神社仏閣で御祈願してもらった御札の斜視図である。図３は図１の容器、図２の御札を収納するお守り袋の一形態の正面図である。
【実施例１】
【００１０】図１の名水収納容器の通常の態様としての一つは初めから名水を入れ、神社仏閣で既に御祈願を済ませ、御札と共にお守り袋に入れた状態で販売する方法がある。
【実施例２】
【００１１】図１の名水収納容器のもう一つの態様としては、空の収納容器をお守り袋に御札と共に入れて販売し、購入した客自身がお守り袋を開けて名水収納容器を取り出し近くにある名水や、滝の水、湧き水、川の水、海の水等を汲み入れてお守り袋に収納する事によって同封の御札の御利益と、名水のご利益が享受出来、その土地を思い出し易い味わい深いお守りのお土産が完成する。
【産業上の利用可能性】
【００１２】本考案である、名水（液体）入りお守りは、全国各地にあるその土地の名水等をその土地にある神社仏閣などが販売しているお守りと組み合わせる事で二重の御利益と思い出を作り出すことが出来、お土産としての効果が大きく観光客を初めとする神社仏閣にも多大な貢献をもたらす。
【符号の説明】
【００１３】  １      名水（液体）収納容器
２      蓋
３      神社仏閣が御祈願した御札
４      お守り袋
【図１】
0003177673.tif 000003
【図２】
0003177673.tif 000004
【図３】
0003177673.tif 000005
【手続補正書】
【提出日】平成24年5月22日(2012.5.22)
【手続補正１】
【補正対象書類名】実用新案登録請求の範囲
【補正対象項目名】全文
【補正方法】変更
【補正の内容】
【実用新案登録請求の範囲】
【請求項１】
神社仏閣の御祈願を受けた御札と、密閉する蓋の付いた注入口を備えて名水を収納する容器、又は、両側から指で強く挟むと口が閉じる簡易チャック式の名水を収納する容器のいずれか一つ、とを収納するお守り袋で構成された事を特徴とする、名水入りお守り。
【請求項２】
神社仏閣の御祈願を受けた御札の代わりに、名水入り容器を神社仏閣で御祈願してもらい、名水自体をお守りの御本尊としても良く、その形状は球形やハート型、星型、ダイヤ型、だるま型、干支型、七福神型、仏像型、招き猫型、動物型、架空の生物型、キャラクター型のいずれかとした事を特徴とする請求項１に記載の、名水入りお守り。
(57)【要約】      （修正有）【課題】車の上に積もった雪がなだれ落ちることからワイパーを保護する為のワイパー保護部品を提供する。【解決手段】車のワイパー１の動作領域の上部に相当する車の屋根部分に、断面がＬ字型あるいはＬ字型に形成したチャンネル材状の部品３を所定の長さに切断し、粘着力の強いテープで接着して固定する。これにより、ワイパーに雪２がなだれ落ちて来ることを防止できるようにして、ワイパー保護部品を形成する。【選択図】図１
0003177679.tif 000002
【実用新案登録請求の範囲】
【請求項１】
車の上部から雪がワイパーになだれ落ちるのを落ちないようにする部品。
【考案の詳細な説明】
【技術分野】
【００１】この部品は，ワイパーを保護しようとする物に関するものである。
【背景技術】
【００２】雪国では、車の上に積もった雪が、ワイパーになだれ落ちるという現象があった。
【考案の概要】
【考案が解決しようとする課題】
【００３】ワイパーになだれ落ちる雪を何とかしたいという課題があった。
【課題を解決するための手段】
【００４】車の上部の雪が，ワイパーに滑り落ちないようにストップする部品を取りつける。
【考案の効果】
【００５】柔よく、剛を制す。弱いワイパー、長時間こき使われて，使い捨てにされそうなワイパーをまだまだ、優しく使いこなす事ができる。
【考案を実施するための形態】
【００６】車の上部から，ワイパーに雪が雪崩落ちてくるのを防ぐために，車上部に，図のように，部品を取りつける。かっこ良さを考えたデザインであれば，なお良い。
【図面の簡単な説明】
【００７】
【図１】本考案の部品を取りつけた車である。
【符号の説明】
【００８】１  ワイパー
２  雪
３  当考案の部品
【図１】
0003177679.tif 000003
【手続補正書】
【提出日】平成24年5月22日(2012.5.22)
【手続補正１】
【補正対象書類名】実用新案登録請求の範囲
【補正対象項目名】全文
【補正方法】変更
【補正の内容】
【実用新案登録請求の範囲】
【請求項１】
車の上部から雪がワイパーになだれ落ちるのを落ちないようにする、Ｌ型、或いは、レ型で、車の上部に、粘着力の強いテープで接着させた部品。